(57)【要約】【課題】  小さな孔を開けて、壁裏の補強フレーム等に干渉することなく良好に壁裏に配置させて、壁裏を補強できる部品取付用の壁裏補強部材を提供する。【解決手段】  壁２の表側からボルト６等を締め付けて部品５を取り付けることのできる壁裏に配設される補強部材１であって、この壁裏補強部材１は、壁２に形成した小孔３から、回転させながら壁裏側へ回し込むことのできる螺旋状に形成され、裏側端部は、螺旋の中心方向に向かって表側端部１ｅと整合する位置まで延長されて、その先端に、ボルト６が螺合される雌ネジ部１ｃが設けられている。【選択図】        図４
2005090010.tif 000002
【特許請求の範囲】
【請求項１】
壁の表側からボルト等を締め付けて部品を取り付けることのできる壁裏に配設される補強部材であって、該壁裏補強部材は、壁に形成した小孔から回転させながら壁裏側へ回し込むことのできる螺旋状に形成され、裏側端部は、螺旋の中心方向に向かって表側端部と整合する位置まで延長されて、その先端に前記ボルト等が螺合される雌ネジ部が設けられていることを特徴とする部品取付用の壁裏補強部材。
【請求項２】
前記壁裏補強部材の表側には、壁の厚みと同等の前記小孔を跨ぐことのできる直線部が形成されていることを特徴とする請求項１に記載の部品取付用の壁裏補強部材。
【発明の詳細な説明】
【技術分野】
【０００１】
この発明は、壁に部品を取り付ける際に壁の裏側を補強できる部品取付用の壁裏補強部材に関するものである。
【背景技術】
【０００２】
従来、壁の表側に部品を取り付けようとする場合、壁の裏側を補強するために、以下のような構造が採用されている。
(1) 壁に直径５０mm程度の大きな孔を開け、壁裏に補強板金を挿入する構造。
(2) 壁に比較的小さな孔を開け、関節部を有する補強板金を壁裏に挿入する構造。
(3) 壁に比較的小さな孔を幾つか開け、小さめの補強板金を複数個壁裏に挿入する構造。
【特許文献１】特開２００２−１３８６４３号公報
【特許文献２】特開２００２−３７１６８３号公報
【特許文献３】特開２００２−１０６１３６号公報
【発明の開示】
【発明が解決しようとする課題】
【０００３】
前記(1) のように、壁に直径５０mm程度の大きな孔を開けると、壁裏の補強フレーム等に干渉する可能性が大きくなるという問題点があった。
また、前記(2) では、関節部を有する補強板金は、補強する範囲が小さく、部品点数も多く、コストが高くなってしまうという問題点があった。
また、前記(3) では、壁に多くの孔を開ける必要があり、施工に時間を要するという問題点があった。
【課題を解決するための手段】
【０００４】
本発明は上記従来の問題点に鑑み案出したものであって、壁裏の補強フレームを避けて取り付けることができ、また、部品点数も少なく、壁には小さな孔を開けて良好に壁裏を補強できる部品取付用の壁裏補強部材を提供するものであり、請求項１では、壁の表側からボルト等を締め付けて部品を取り付けることのできる壁裏に配設される補強部材であって、該壁裏補強部材は、壁に形成した小孔から回転させながら壁裏側へ回し込むことのできる螺旋状に形成され、裏側端部は、螺旋の中心方向に向かって表側端部と整合する位置まで延長されて、その先端に前記ボルト等が螺合される雌ネジ部が設けられていることである。
また、請求項２では、前記壁裏補強部材の表側には、壁の厚みと同等の前記小孔を跨ぐことのできる直線部が形成されていることである。
【発明の効果】
【０００５】
本発明の壁裏補強部材は、壁に形成した小孔から回転させながら壁裏側へ回し込むことのできる螺旋状に形成され、裏側端部は、螺旋の中心方向に向かって表側端部と整合する位置まで延長されて、その先端にボルト等が螺合される雌ネジ部が設けられていることにより、壁には小さな小孔を開けることで、この小孔から良好に回転させながら壁裏へ回して、壁裏を広い面積で補強することができ、また、中心をずらすことにより容易に壁裏の補強フレーム等を避けることができ、表側からボルトを雌ネジ部に締め付けて、良好に壁の表側に部品を取り付けることができるものとなる。
【０００６】
また、壁裏補強部材の表側には、壁の厚みと同等の、小孔を跨ぐことのできる直線部が形成されていることにより、直線部により壁の厚みをかわすことができ、壁に挟み込み状に良好に固定することができるものとなる。
【実施例】
【０００７】
以下、本発明の実施例を図面に基づいて説明する。
図１は、壁裏補強部材の正面概略構成図である。
壁裏補強部材１は、板金を螺旋状に巻回させて螺旋部１ａが形成されており、この螺旋部１ａの外周裏端側には、螺旋の中心方向に向かって、通し孔１ｅを有する表側端部と整合する位置まで延長されて、裏端直線部１ｂが連続して形成され、この裏端直線部１ｂの先端の螺旋の中心（表側端部の通し孔１ｅと整合する位置）には、雌ネジ部１ｃが形成されている。
この雌ネジ部１ｃは、ナットを溶着して構成したものであっても、また、裏端直線部１ｂの先端に直接雌ネジを切って構成したものであっても良い。
【０００８】
このような壁裏補強部材１は、例えば浴室の壁２の表側に手摺り等の部品を取り付ける際に、図２に示すように、小さい径の小孔３を壁２に形成させておき、この小孔３内に、表側から雌ネジ部１ｃを挿入させて、回転させながら、図３に示すように、順次壁裏側へ回し込んで、壁裏へ配置することができるものであり、小さい径の小孔３を形成させておけば、大径の壁裏補強部材１を良好に壁裏に配設することができるものとなる。
【０００９】
なお、図３のように、壁裏補強部材１の室内側（表側）の端部のみを小孔３の表側に引っ掛けておき、図４に示すように、僅かに壁裏補強部材１を逆回転させて、雌ネジ部１ｃを螺旋の中心に配置させ、壁２には、別のボルト孔４を中心位置に開けて、このボルト孔４に対し、表側からボルト６を、取付部材５および壁裏補強部材１の表側端部の通し孔１ｅに通して差し込み、ボルト６を、壁裏補強部材１の雌ネジ部１ｃに螺合させ、表側からボルト６を締め付けて、良好に取付部材５を壁２に固定できるものである。
【００１０】
なお、図５の壁裏の斜視構成図で示すように、壁２の裏側には、角パイプ等の補強フレーム２ａが設けられているが、壁裏補強部材１を回転させて、この補強フレーム２ａとの干渉を回避することができ、補強フレーム２ａに干渉することなく良好に壁裏補強部材１を壁裏に配置させて、雌ネジ部１ｃの位置にボルト孔４を形成させ、良好に表側からボルト６を締め付けることができるものであり、壁裏補強部材１の全体の外周径は大であるため、壁裏を広い面積に亘り補強することができるものとなる。
【００１１】
次に、図６は変更例を示すものであり、図６の壁裏補強部材１は、螺旋部１ａの表側に、前後方向に延びる直線部１ｄが形成されており、この直線部１ｄは、壁２の厚みと同等の寸法に設定されており、図６のように、この直線部１ｄが小孔３を跨いで、壁裏補強部材１が壁２を挟み込んだ状態で固定されるように構成されている。
この図６の状態で、壁２にボルト孔４を形成させて、図７に示すように、表側から取付部材５内にボルト６を挿通させて、ボルト６をボルト孔４を通して壁裏補強部材１の雌ネジ部１ｃに螺合させることができ、ボルト６を表側から締め付けて、良好に壁２の表側に取付部材５を固定できるものである。
【００１２】
図８は、取付状態の側面構成図であり、この状態では、壁裏補強部材１の螺旋部１ａが縮まって壁２の裏側に当接状態となり、壁裏をこの壁裏補強部材１で広い面積に亘り補強できるものとなり、壁２の強度が良好に確保されて、取付部材５を安定した状態で壁２に固定できるものとなる。
【図面の簡単な説明】
【００１３】
【図１】壁裏補強部材の正面概略構成図である。
【図２】壁裏補強部材を壁に形成した小孔内に表側から挿入する前の分解図である。
【図３】壁裏へ壁裏補強部材を挿入した状態の側面断面構成図である。
【図４】壁裏に配置させた壁裏補強部材に対し、表側からボルトを介し、取付部材を取り付ける前の分解斜視図である。
【図５】壁の裏側から見た要部斜視構成図である。
【図６】別例の壁裏補強部材を壁裏へ配置させた状態の側面断面構成図である。
【図７】さらにボルト孔を形成させて、表側よりボルトを締め付ける前の側面断面構成図である。
【図８】ボルトを締め付けた状態の側面断面構成図である。
【符号の説明】
【００１４】
１  壁裏補強部材
１ａ  螺旋部
１ｂ  裏端直線部
１ｃ  雌ネジ部
１ｄ  直線部
１ｅ  通し孔
２  壁
２ａ  補強フレーム
３  小孔
４  ボルト孔
５  取付部材
６  ボルト
【図１】
2005090010.tif 000003
【図２】
2005090010.tif 000004
【図３】
2005090010.tif 000005
【図４】
2005090010.tif 000006
【図５】
2005090010.tif 000007
【図６】
2005090010.tif 000008
【図７】
2005090010.tif 000009
【図８】
2005090010.tif 000010